(57)【特許請求の範囲】
【請求項１】
車両用の窓組立体であって、
表面および周を有し、実質的に透明な基板と、
前記表面に配置され、少なくとも前記表面の大部分を占める、金属化合物を含む導電性の透明層であって、該透明層は、第1の周囲を有する第1の領域、および第2の周囲を有する第2の領域を有し、前記第1および第2の周囲の各々は、外側端部と、対向する内側端部と、一つの側端部と、対向する側端部と、を有し、前記第1および第2の領域は、実質的に相互に合同である、透明層と、
非導電性であって、前記基板上の、前記基板の前記周と、前記第1および第2の周囲の各々との間に形成された、外側領域と、
前記第1および第2の周囲の各々の前記内側端部の間に定められた、前記透明層が欠落した区画カット部であって、第1の端部から反対の第2の端部まで定められ、前記第1および第2の端部の各々で、前記外側領域に通じており、前記区画カット部は、前記第1の領域と前記第2の領域を相互に分離し、前記第1および第2の周囲の各々の前記内側端部との間に定められた、10mm未満の幅を有する、区画カット部と、
前記第1および第2の領域に結合され、前記第1および第2の領域をエネルギー化する給電配置と、
を有し、
前記第1の領域は、前記透明層が欠落した、前記第1の周囲の前記外側端部から前記第1の領域に延在する第1の特性増強スリットを定め、
前記第2の領域は、前記透明層が欠落した、前記第2の周囲の前記外側端部から前記第2の領域に延在する第2の特性増強スリットを定める、窓組立体。
【請求項２】
前記第1の周囲の前記内側端部、および前記第2の周囲の前記内側端部は、各々、直線配置を有し、相互に略平行に延伸する、請求項1に記載の窓組立体。
【請求項３】
前記基板の前記周は、対向する上側周端部および下側周端部と、対向する側周端部とを含み、
前記第1および第2の周囲の各前記内側端部は、前記上側周端部および前記下側周端部と略直交するように配置される、請求項1または2に記載の窓組立体。
【請求項４】
前記基板の前記上側周端部と前記下側周端部の間には、軸が延在し、該軸は、前記基板の前記周を、2つの実質的に同様の面積に分割し、
前記第1の周囲の前記内側端部および前記第2の周囲の前記内側端部は、前記軸から均等に離間される、請求項3に記載の窓組立体。
【請求項５】
前記第1および第2のスリットは、前記軸に対して、相互に対称に配置される、請求項4に記載の窓組立体。
【請求項６】
前記基板は、内表面および外表面を有する外部基板と、該外部基板に隣接して配置され、内表面および外表面を有する内部基板と、を有し、
前記透明層は、前記内部基板の前記内表面と前記外部基板の前記内表面の間に配置される、請求項1乃至5のいずれか一つに記載の窓組立体。
【請求項７】
前記第1および第2のスリットは、それぞれ、インピーダンス整合素子および放射パターン変更素子の少なくとも一つとして作動するように構成される、請求項1乃至6のいずれか一つに記載の窓組立体。
【請求項８】
前記第1のスリットは、前記第1の領域の前記透明層により定められた直線配置を有し、
前記第2のスリットは、前記第2の領域の前記透明層により定められた直線配置を有し、
前記第1および第2のスリットのそれぞれの前記直線配置を定める前記透明層は、2mm未満で均一に離間される、請求項1乃至7のいずれか一つに記載の窓組立体。
【請求項９】
前記第1のスリットは、前記第1の周囲上の単一の位置から前記第1の領域に延伸し、
前記第2のスリットは、前記第2の周囲上の単一の位置から前記第2の領域に延伸する、請求項1に記載の窓組立体。
【請求項１０】
前記第1のスリットは、前記第1の周囲の前記側端部の少なくとも一つと実質的に平行に延伸し、
前記第2のスリットは、前記第2の周囲の前記側端部の少なくとも一つと実質的に平行に延伸する、請求項1に記載の窓組立体。
【請求項１１】
前記第1のスリットは、前記第1の周囲の前記外側端部および内側端部の一つと実質的に平行に延伸し、
前記第2のスリットは、前記第2の周囲の前記外側端部および内側端部の一つと実質的に平行に延伸する、請求項1に記載の窓組立体。
【請求項１２】
前記第1および第2の領域は、それぞれ、無線周波数信号を受信する、ダイバーシティアンテナ素子として作動するように構成され、ダイバーシティ受信器は、前記第1および第2の領域により受信される前記無線周波数信号の最適なものを選択するように構成される、請求項1に記載の窓組立体。
【請求項１３】
前記第1および第2の領域の各々は、透明層のタブを有し、該タブは、前記それぞれの第1および第2の領域から延伸し、前記それぞれの第1および第2の周囲を超えて、前記外側領域にまで延伸し、前記供給配置は、前記基板を介した視野の妨害なしに、前記第1および第2の領域と接続可能になる、請求項1に記載の窓組立体。
【発明の詳細な説明】
【技術分野】
【０００１】
本願は、2013年3月15日に出願された米国仮出願第61／793958号の利益を主張するものである。
【０００２】
本発明は、全般に、車両用の窓組立体に関する。特に、本発明は、特性増強スリットを有する透明領域を備える窓組立体に関する。
【背景技術】
【０００３】
近年、各種目的で、内部に透明膜またはコーティングが埋設された車両用の窓に対する需要が高まっている。そのような透明膜またはコーティングは、しばしば、金属酸化物のような金属化合物を含み、これにより、透明膜またはコーティングは、導電性となる。近年、透明膜またはコーティングは、窓に照射される太陽光からの熱を反射するため、窓に適用される。特に、透明膜またはコーティングは、太陽光からの赤外放射線を反射する。その際、透明膜またはコーティングは、車両の内部に侵入する赤外放射線の量を低減する。透明膜またはコーティングは、透明膜またはコーティングを有しない窓を備える車両に比べて、内部温度を下げることができる。その結果、温暖な気候の期間中、車両の内部温度の低下に必要なエネルギーが抑制される。透明膜またはコーティングの赤外放射線の反射に対する効率を最大限に高めるため、透明膜またはコーティングは、しばしば、実質的に窓の大部分にわたって設置され、しばしば、車両のドライバまたは乗員の視野全体を被覆する。
【発明の概要】
【発明が解決しようとする課題】
【０００４】
車両の窓に関して、透明膜またはコーティングを、透明アンテナ素子として利用することが知られている。しかしながら、窓に利用される従来の透明アンテナは、高まり続ける電磁波干渉の結果として、特性の劣化を余儀なくされている。従って、窓に適用されるそのような透明アンテナの放射パターンおよびインピーダンス特性を制御することに関して、ニーズが存在する。また、従来の窓に利用される透明アンテナは、通常、狭小の周波数範囲においてのみ作動するように構成される。従って、従来の透明アンテナは、適用が限定される。
【課題を解決するための手段】
【０００５】
本発明では、車両用の窓組立体が提供される。ある実施例では、窓組立体は、表面を有し実質的に透明な基板を有する。表面には、透明層が設置され、該透明層は金属化合物を有し、透明層は導電性である。透明層は、第1の領域および第2の領域を定め、これらは、透明層の欠落部である区画カット部により、相互に離間される。第1および第2の領域は、実質的に相互に合同である。第1および第2の領域には、給電配置が結合され、第1および第2の領域がエネルギー化される。第1および第2の領域の少なくとも一つは、特性増強スリットを定め、該特性増強スリットには、透明層は存在しない。
【０００６】
従って、窓組立体の透明層は、赤外放射線を有意に反射するとともに、広い用途を有するアンテナ構成を提供する。特に、窓組立体は、ブロードな範囲の周波数内の無線信号を送信および／または受信することができる。また、特性増強スリットは、窓組立体の放射パターンおよびインピーダンス特性にわたって、有意に良好な制御を提供する。従って、特性増強スリットにより、RF信号の送信および／または受信の際に、窓組立体の最適な効率が確保される。
【０００７】
本発明の他の利点は、容易に理解される。同様に、これは、以下の詳細な説明を参照し、合わせて添付図面を考慮することにより、より良く理解される。
【図面の簡単な説明】
【０００８】
【図１】本発明の一実施例による、基板上に配置され第1および第2の領域を定める透明層を有する窓組立体を有する車両の斜視図である。各領域は、ダイバーシティ受信器に接続され、第1の領域には、特性増強スリットが形成される。
【図２】本発明の別の実施例による、スリットが形成された第1の領域を有する窓組立体の正面図である。
【図３】本発明の別の実施例による、第1および第2の領域を有する窓組立体の正面図である。各領域は、スリットを定め、該スリットは、基板にわたって垂直に延伸する軸に対して対称に配置される。
【図４】本発明の別の実施例による、第1および第2の領域を有する窓組立体の正面図である。各領域は、2つのスリットを定め、各スリットは、基板にわたって垂直に延伸する軸に平行に配置される。
【図５】本発明のさらに別の実施例による、第1および第2の領域を有する窓組立体の正面図である。各領域は、2つのスリットを有し、これらのスリットは、基板にわたって垂直に延伸する軸に対して直交するように配向され、各スリットは、第1および第2の領域の一つの周囲から延伸する。
【図６】本発明の別の実施例による、直線区画カット部により分離された第1および第2の領域を有する窓組立体の正面図である。第1および第2の領域は、各々2つのスリットを定め、スリットは、直線区画カット部に対して対称に配置される。
【図７】本発明の別の実施例による、直線区画カット部により分離された第1および第2の領域を有する窓組立体の正面図である。スリットは、直線区画カット部に対して対称に配置され、スリットが透明層で取り囲まれるように、第1および第2の領域の周囲内に定められる。
【図８】本発明の別の実施例による、第1および第2の領域を有する窓組立体の正面図である。各領域は、基板にわたって水平に延伸する軸に対して対称に配置された2つのスリットを定める。
【図９】本発明の一実施例による、内部基板の外表面に設置された透明層、および該透明層に隣接し、該透明層と電気的に直接接触する給電素子を有する窓組立体の部分断面図である。
【図１０】本発明の別の実施例による、内部基板と外部基板の間に設置された透明層、および該透明層から離間され、該透明層に容量的に結合された給電素子とを有する窓組立体の部分断面図である。
【図１１Ａ】図4の窓組立体の周波数−ゲイン特性を示したグラフである。
【図１１Ｂ】図4の窓組立体の放射パターン特性を示したグラフである。
【図１２Ａ】図5の窓組立体の周波数−ゲイン特性を示したグラフである。
【図１２Ｂ】図5の窓組立体の放射パターン特性を示したグラフである。
【発明を実施するための形態】
【０００９】
図面を参照すると、いくつかの視野において、同様の参照符号は、対応する部品を表し、窓組立体は、通常、20で表される。図1に示すように、窓組立体20は、車両22に適する。図1に示すように、窓組立体20は、フロントウィンドウ（フロントガラス）であってもよい。あるいは、窓組立体20は、リアウインドウ（後部窓）、ルーフウィンドウ（サンルーフ）、または車両22の他のいかなる窓であってもよい。通常、車両22は、開口を定め、窓組立体20は、この開口を封止する。開口は、通常、車両22の窓枠により定められる。
【００１０】
窓組立体20は、基板24を有し、この基板は、実質的に透明である。本願において使用される、「実質的に透明」と言う用語は、通常、60%を超える可視光透過率を有するものとして定められる。ある実施例では、基板24の可視光透過率は、75%を超える。さらに別の実施例では、基板24の可視光透過率は、90%を超える。
【００１１】
ある実施例では、基板24は、単一の一体化形成されたピースである。別の実施例では、図9および図10に示すように、基板24は、外部基板26と、該外部基板に隣接して配置された内部基板28とを有する。外部基板26は、内部基板28と平行に、内部基板から離間して配置される。この実施例では、外部基板26および内部基板28が相互に接合され、基板24が形成される。外部基板26および内部基板28は、1枚ガラス（ガラスペイン）であることが好ましい。ガラスペインは、自動車ガラスであることが好ましく、ソーダライムシリカガラスであることがより好ましい。しかしながら、外部基板26および内部基板28は、プラスチック、ガラス繊維、または他の好適な非導電性の実質的に透明な材料であってもよい。
【００１２】
通常、外部基板26および内部基板28は、非導電性である。本願において、「非導電性」と言う用語は、通常、異なる電気的電位で導体の間に配置された際に、材料を介して流れる電流が無視できる、絶縁体または誘電体のような材料を表す。また、外部基板26および内部基板28は、光に対して実質的に透明である。ただし、外部基板26および内部基板28は、着色または染められていてもよい。
【００１３】
基板24は、複数の表面を有してもよい。例えば、図9および図10に示すように、外部基板26および内部基板28の各々は、内表面26a、28aと、外表面26b、28bとを有する。外部基板26の外表面26bは、通常、車両22の外部と面する。内部基板28の外表面28bは、通常、車両22の内部と面する。通常、外部基板26および内部基板28が相互に接合され、基板24が形成された際に、外部基板26および内部基板28の内表面26a、28aは、相互に対面する。
【００１４】
図2乃至8に示すように、基板24は、周30を定める。代わりに、周30は、基板24の周端部として定められてもよい。周30は、上側周端部30aと、対向する下側周端部30bとを有する。周30は、通常、対向する側周端部30c、30dを有し、これらは、上側および下側周端部30a、30bに接続される。本願において、「上側」および「下側」という用語は、通常、地表に対して基板24の周30を配向する際に利用され、上側周端部30aは、下側周端部30bよりも地表に対して高い位置となるように配置される。ただし、「上側」および「下側」と言う用語は、上側および下側周端部30a、30bの配向を限定することを意味するものではない。従って、上側および下側周端部30a、30bは、本発明の範囲から逸脱しない範囲で、別の配置を有してもよい。また、上側、下側、および／または側周端部30a、30b、30c、30dは、曲線状であっても直線状であってもよい。
【００１５】
車両22のフロントガラスとして利用される場合、基板24の周30は、通常、図2乃至8に示すような台形状の構成を有する。ただし、基板24の周30は、本願には具体的には記載されていない他の形状を有してもよい。
【００１６】
図2乃至図7に示すように、軸40は、基板24の上側および下側周端部30a、30bの間を垂直に延伸する。そのような例では、軸40は、通常、基板24の水平中心位置に配置される。軸40は、通常、基板24の周30を、2つの実質的に同様の領域に分割する。基板24の周30が対称な構成を有する場合、軸40は、基板24を合同領域に分離してもよい。図8では、軸40は、上側周端部30aおよび下側周端部30bの間で、水平に延伸する。ある実施例では、軸40は、実質的に、基板24の垂直中心位置に配置される。
【００１７】
図1乃至図10に示すように、窓組立体20は、透明層50を有する。透明層50は、基板24の表面に配置される。ある実施例では、図9に示すように、透明層50は、内部基板28の外表面28bに配置される。別の実施例では、図10に示すように、透明層50は、外部基板26の内表面26aと内部基板28の内表面28aの間に配置される。そのような例では、透明層50は、該透明層50に損傷を及ぼし得る環境因子との直接の接触から保護される。
【００１８】
必須ではないが、図9および図10に示すように、外部基板26と内部基板28の内表面26a、28aの間には、中間層29が配置されてもよい。中間層29は、外部基板26と内部基板28を結合し、窓組立体20が衝撃の際に粉砕されることを抑制することが好ましい。また、中間層29は、通常、光に対して透明であり、ポリビニルブチラール（PVB）のような、高分子または熱可塑性樹脂を含む。しかしながら、中間層29の実施の際には、他の好適な材料も利用可能である。通常、中間層29は、0.5mmから1mmの間の厚さを有する。
【００１９】
中間層29は、透明層50に隣接して配置されてもよい。ある実施例では、図10に示すように、中間層29は、透明層50と外部基板26の内表面26aの間に配置される。あるいは、透明層50は、中間層29と内部基板28の内表面28aとの間に配置されてもよい。窓組立体20は、外部基板26と内部基板28の間に挟まれた、透明層50および中間層29を有することが好ましく、この場合、中間層29および透明層50は、外部基板26および／または内部基板28の内表面26a、28aと接する。あるいは、図には示されていないが、透明層50は、中間層29内に埋設されてもよく、この場合、透明層50は、両側が中間層29の間に挟まれることが理解される。
【００２０】
透明層50は、光に対して実質的に透明である。従って、車両22のドライバまたは乗員は、透明層50を有する基板24を介して、外を見ることができる。透明層50は、基板24に侵入する太陽からの熱を反射することが好ましい。その場合、透明層50は、基板24を介した赤外放射線の透過を抑制する。透明層50は、さらに、防曇素子または霜取り素子として作動され、基板24に加熱機能が提供されてもよい。
【００２１】
ある実施例では、透明層50は、膜である。別の実施例では、透明層50は、コーティングである。透明層50は、例えば、化学気相成膜法、マグネトロンスパッタ気相成膜法、スプレー熱分解法など、いかなる好適な方法で基板24の表面に適用されてもよい。
【００２２】
透明層50は、透明層50が導電性となるような金属化合物を含む。本願において、「導電性」と言う用語は、通常、導体のような、材料を通じて効果的に電流が流れる、低い電気抵抗を示す材料を表す。金属化合物は、金属酸化物を含むことが好ましい。ただし、金属化合物は、さらに、金属窒化物等を含んでもよい。金属酸化物は、インジウムスズ酸化物などのような、スズ酸化物を含んでもよい。しかしながら、透明層50は、他の金属酸化物を含んでもよく、これには、これに限られるものではないが、銀酸化物が含まれる。また金属化合物は、フッ素のような添加剤でドープされてもよい。特に、添加剤は、金属化合物に含まれ、透明層50の光透過性および電気抵抗を最適化してもよい。透明層50は、該透明層50を通る電流の流れに対抗するための透明層50の機能を定量化する、いかなる好適なシート電気抵抗を有してもよい。シート抵抗は、表面抵抗としても知られる。ある例では、透明層24は、0.5〜20Ω／□の間の範囲のシート抵抗を有する。
【００２３】
ある実施例では、透明層50は、基板24の表面の少なくとも大部分を占める。本願において、大部分とは、表面積の50%よりも大きいものとして定められる。通常、透明層50は、基板24を介した赤外放射線の透過を最大限抑制するため、表面の少なくとも大部分を被覆する。別の実施例では、透明層50は、表面の小部分を占めてもよい。あるいは、透明層50は、基板24の全体を占めてもよく、その場合、透明層50は、基板24の周30まで延伸する。透明層50は、基板24の周30と実質的に等しい形状を定めてもよい。あるいは、透明層50は、いかなる好適な形状を有してもよい。
【００２４】
図1乃至図8に示すように、基板24上の、透明層50と基板24の周30の間には、外側領域56が形成される。外側領域56は、透明層50が欠落している領域であり、従って、非導電性である。外側領域56は、透明層50と基板24の周30の間の距離として定められた幅を有する。幅は、0mmよりも大きく、200mmよりも小さいことが好ましい。
【００２５】
ミラーまたは雨センサのような車両装置が、基板24に取り付けられ、または設置されてもよい。車両装置が基板24に取り付けられた位置における透明層50の存在により、車両装置の特性に悪影響が生じ得る。従って、透明層50は、通常基板24の上側周端部30aの近傍に開口を有し、基板24に車両装置のアタッチメントが収容される。ある実施例では、図2乃至7に示すように、開口は、外側領域56が基板24の上側周30aの近傍で拡張されるように、外側領域56に開放されている。開口は、いかなる好適な形状を有しても良く、図2乃至図7に示すようなU字型等であってもよい。軸40は、開口を分離してもよい。別の実施例では、開口は、該開口が外側領域56から分離され、外側領域56には延伸しないように、透明層50に取り囲まれる。開口は、軸40の近傍に定められてもよい。開口が必要な場合、透明層50は、本発明が適正に機能するように、必要な範囲で変更されてもよい。
【００２６】
透明層50は、第1の領域60および第2の領域62を定める。第1および第2の領域60、62は、実質的に相互に合同である。第1および第2の領域60、62の各々は、面積と形状を定める。本願において、「実質的に合同」と言う用語は、通常、第1および第2の領域60、62が実質的に同じ面積および実質的に同じ形状を有することを意味する。ある例では、図1乃至図7に示すように、第1および第2の領域60、62は、等しい面積および等しい形状を有し、第1および第2の領域60、62は、完全に合同である。ただし、第1および第2の領域60、62は、実質的に合同であればよい。従って、「実質的に合同」と言う用語は、さらに、第1の領域60の面積が、第2の領域62の面積よりも10%を超えない分だけ大きくまたは小さいことを意味し、第1の領域60の形状が、第2の領域62の形状と少なくとも90%、幾何学的に似ていることを意味するものとして規定される。
幾何学的な類似は、第1および／または第2の領域60、62のスケール化（比例的拡大または縮小）、回転処理、平行移動処理、および／または反射処理により評価され、第1および第2の領域60、62の形状は、できる限り幾何学的に合同化される。ある実施例では、図8に示すように、第1の領域60および第2の領域62は、完全に合同ではなく、実質的に合同である。具体的には、第1の領域60の面積は、第2の領域の面積よりも10%未満だけ少なく、第1の領域60の形状は、第2の領域62の形状と少なくとも90%、幾何学的に類似している。
【００２７】
第1の領域60は、第1の周囲70を定め、第2の領域62は、第2の周囲80を定める。第1および第2の周囲70、80の各々は、外側端部70a、80a、および内側端部70b、80bを有してもよい。第1および第2の周囲70、80の各々において、外側端部70a、80aは、内側端部70b、80bと対向する。本願において、「内側」と言う用語は、第1および第2の周70、80の内側端部70b、80bが相互に隣接して対面するようにして、第1および第2の周囲70、80を配向する際に利用される。ある実施例では、第1および第2の周囲70、80の各々は、さらに、側端部70c、80cと、対向する側端部70d、80dとを有し、これらは、外側端部70a、80aおよび内側端部70b、80bに接続される。
【００２８】
第1および第2の領域60、62は、各々、無線周波数信号を送信および／または受信する、ダイバーシティアンテナ素子として作動するように構成される。第1および第2の領域60、62の各々は、直線もしくは円偏向された無線周波数信号を送信および／または受信するように構成されてもよい。特に、第1および第2の領域60、62によって送信および／または受信される直線偏向RF信号には、これに限られるものではないが、AM、FM、RKE（リモートキーレスエントリー）、またはTV信号が含まれる。第1および第2の領域60、62により送信および／または受信される円偏向のRF信号には、これに限られるものではないが、SDARS（衛星ラジオ）またはGPS信号が含まれる。図1に示すように、ダイバーシティ受信器82は、第1および第2の領域により受信される無線周波数信号の最適な一つを選択するように構成され提供されてもよい。
【００２９】
第1および第2の周囲70、80は、本発明の範囲から逸脱しないで、いかなる好適な形状を有してもよい。例えば、主に図面に示すように、第1および第2の周囲70、80は、四角形の構成を有する。ただし、第1および第2の周囲70、80は、他の構成を有しても良く、これには、これに限られるものではないが、三角形または半円形の構成が含まれる。
【００３０】
第1および第2の周囲70、80は、各種異なる配置により、基板24の周30に対して配向されてもよい。例えば、図1乃至図7に示すように、第1および第2の周囲70、80の各々の内側端部70b、80bは、基板24の上側および下側周端部30a、30bと実質的に直交するように配置される。別の例では、図8に示すように、第1および第2の周囲70、80の各々の内側端部70b、80ｂは、基板24の上側および下側周端部30a、30bと実質的に平行に配置される。
【００３１】
ある実施例では、第1の周囲70の内側端部70bおよび第2の周囲80の内側端部80bの各々は、直線状の配置を有する。内側端部70b、80bは、実質的に相互に平行に延伸する。図2および図3に示すように、第1の周囲70の内側端部70bおよび第2の周囲80の内側端部80bは、軸40から均等に離間されてもよい。換言すれば、軸40は、内側端部70b、80bから等距離にある。内側端部70b、80bは、10mm未満だけ離間されることが好ましい。別の実施例では、内側端部70b、80bは、非直線状の配置であり、内側端部70b、80bは、相互に平行に延伸しない。
【００３２】
第1および第2の領域60、62は、区画カット部86により、相互に離間される。区画カット部86は、透明層50の欠落部分であり、非導電性である。通常、区画カット部86は、該区画カット部86および外側領域56が共通の非導電性領域を形成するようにして、外側領域56に開かれている。区画カット部86は、第1および第2の周囲70、80の各々の内側端部70b、80bにより定められる。図1乃至図8に示す実施例では、区画カット部86は、隣接する第1および第2の領域60、62により定められた、直線状の配置を有する。より具体的には、区画カット部86の直線状の配置は、第1および第2の周囲70、80の隣接する内側端部70b、80bにより定められる。前述のように、内側端部70b、80bは、10mm未満だけ離間されることが好ましい。その場合、区画カット部86は、10mm未満の幅であることが好ましい。別の実施例では、区画カット部86は、曲線を有する配置など、非直線状の配置を有してもよい。区画カット部86は、従来のいかなる好適な技術で、基板24上に形成されてもよい。例えば、区画カット部86を定める透明層50の領域の除去または削除は、マスク処理、レーザ、研磨ツール、化学的除去、機械的切断ツール等を用いて実施されてもよい。
【００３３】
図1に示すように、窓組立体20は、給電配置90を有し、これは、透明層50に結合され、より具体的には、第1および第2の領域60、62に結合される。給電配置90は、第1および第2の領域60、62が無線周波数信号を送信および／または受信するように、第1および第2の領域60、62をエネルギー化する。第1および第2の領域60、62は、給電配置90を介して、ダイバーシティ受信器82に接続される。給電配置90に関し、「エネルギー化」と言う用語は、給電配置90と第1および第2の領域60、62との間の電気的な関係を説明するものであり、これにより給電配置90は、無線波の送信のため第1および第2の領域60、62を励起し、入射する無線波の受信のため第1および第2の領域60、62と電気的に結合されることが理解される。
【００３４】
給電配置90は、第1および第2の領域60、62をエネルギー化する、いかなる好適な構成を有してもよい。図9および図10に示すように、給電配置90は、通常、少なくとも一つの給電素子92を有する。ある実施例では、図1に示すように、給電配置90は、2つの別個の給電素子92を有し、各々は、第1および第2の領域60、62の一つに、別個に結合される。別の実施例では、給電配置90は、一つの給電素子90を有し、これは、第1および第2の領域60、62の両方に結合される。給電素子92は、第1および第2の領域60、62をエネルギー化する、いかなる好適な材料を含んでもよい。また、給電素子92は、いかなる好適な配置を有してもよく、これには、これに限られるものではないが、給電ストリップ、給電配線、またはこれらの組み合わせが含まれる。
【００３５】
給電素子92は、基板24のいかなる表面に配置されてもよい。また、給電素子92は、透明層50と同一平面上に、または異なる平面上に、配置されてもよい。主として図に示したように、第1および第2の領域60、62の各々は、透明層50のタブ94を有し、これは、第1および第2の領域60、62のそれぞれから、一体的に延伸してもよい。タブ94は、第1および第2の周囲70、80のそれぞれを超えて、外側領域56に延伸する。タブ94により、給電素子92は、第1および第2の領域60、62と容易に接続され、基板24を介した視野が妨害されることもない。
【００３６】
ある実施例では、図9に示すように、給電素子92は、透明層50と境界を接し、透明層50と電気的に直接接触する。ここでは、給電素子92は、透明層50に直接配線され、または透明層50にはんだ付けされてもよい。給電素子92は、給電ストリップまたは配線のような、透明層50に物理的に取り付けられた導電性材料を介して、直接、透明層50に電流を供給する。給電素子92は、透明層50と境界を接し、電気的に直接接触するが、透明層50は、基板24のいかなる層の上に配置されてもよい。あるいは、図10に示すように、給電素子92は、透明層50から離間され、透明層50と容量的に結合されてもよい。そのような例では、給電素子92は、外部または内部基板26、28のような、空気または誘電体材料を介して、透明層50に電流を誘導する。そのような実施例では、給電素子92は、通常、透明層50と直接配線されたり、直接接触したりすることはない。給電素子92は、通常、透明層50とは異なる平面上に配置される。第1および第2の領域60、62は、本願で具体的に示されていない、他の構成による給電配置90によりエネルギー化されてもよい。
【００３７】
図1および図2に示されているように、第1および第2の領域60、62の少なくとも一つは、特性増強スリット96を定め、ここには、透明層50は存在しない。スリット96は、インピーダンス整合素子および放射パターン変更素子の少なくとも一つとして作動するように構成される。ある実施例では、スリット96は、インピーダンス整合素子のみとして作動するように構成される。別の実施例では、スリット96は、放射パターン変更素子のみとして作動するように構成される。当然のことながら、スリット96は、インピーダンス整合素子および放射パターン変更素子の両方として、同時に作動するように構成されてもよい。
【００３８】
スリット96は、第1および第2の領域60、62のインピーダンスを、ケーブルのインピーダンスと整合させることにより、インピーダンス整合素子として作動してもよい。ケーブルは、以下に示すように、例えば、第1および／または第2の領域60、62のエネルギー化に利用される同軸ケーブルであってもよい。
【００３９】
スリット96は、第1および／または第2の領域60、62から送信および／または受信される無線信号の方向を変えることにより、放射パターン変更素子として作動してもよい。より具体的には、スリット96は、第1および／または第2の領域60、62の放射パターンがより大きな全方向性を示すように、無線信号が送信および／または受信される方向を変更する。スリット96により、アンテナ素子として作動する、第1および第2の領域60、62のインピーダンス特性および放射パターンにわたって、大きな制御が可能となる。スリット96は、電磁波干渉を低減することを助長し、最適な効率が得られる。従って、スリット96は、第1および／または第2の領域60、62の特性を高める。前述のように、透明層50、より具体的には、第1および／または第2の領域60、62は、必要な場合、さらに、防曇素子また霜取り素子として作動されてもよい。そのような例では、本発明の範囲から逸脱しないで、第1の領域60、第2の領域62、および／またはスリット96は、透明層50の任意の防曇または霜取り機能を提供するように変更されてもよい。
【００４０】
ある実施例では、スリット96は、第1および第2の領域60、62の一方の透明層50により定められるような、直線状の配置を有する。スリット96の配置状構成を定める透明層50は、2mm未満で均一に離間されることが好ましい。別の実施例では、スリット96は、曲線を有する配置、ジグザグ配置など、非直線状の配置を有する。スリット96は、各種好適な長さで延伸してもよい。ある例では、スリット96は、200mmよりも大きな長さを有してもよい。スリット96は、従来のいかなる好適な技術で基板24上に形成されてもよい。例えば、スリット96に対応する透明層50の選択部分の除去または削除は、マスク処理、レーザ、研磨ツール、化学的除去、機械的切断ツールなどを用いて行われてもよい。
【００４１】
ある実施例では、図3および図7に示すように、第1の領域60は、第1のスリット96aを定め、第2の領域62は、第2のスリット96bを定める。第1および第2のスリット96a、96bは、軸40に対して相互に対称に配置されてもよい。図3に示すように、第1および第2のスリット96a、96bは、軸40と実質的に直交するように配向される。あるいは、図7に示すように、第1および第2のスリット96a、96bは、軸40に対して実質的に平行に配向される。
【００４２】
別の実施例では、第1および第2のスリット96a、96bは、区画カット部86の直線配置に対して、相互に対称に配置されてもよい。換言すれば、第1および第2のスリット96a、96bは、基板24の周30または軸40とは無関係に、第1および第2の周囲70、80に対して配向されてもよい。当然のことながら、第1および第2のスリット96a、96bは、軸40、区画カット86の直線配置、またはその両方に対して、対称に配置されてもよい。
【００４３】
ある実施例では、図1〜5、および図8に示すように、スリット96は、それぞれの第1および第2の周囲70、80から、第1および第2の領域60、62の一つに延伸する。図3に示すように、第1のスリット96aは、第1の周囲70から第1の領域60に延伸し、第2のスリット96bは、第2の周囲80から第2の領域62に延伸する。ここで、第1および第2のスリット96a、96bは、通常、外側領域56に開かれている。ある実施例では、第1のスリット96aは、第1の周囲70における一つの位置から、第1の領域60に延伸してもよい。同様に、第2のスリット96bは、第2の周囲80の一つの位置から、第2の領域62に延伸する。換言すれば、そのような例では、第1および第2のスリット96a、96bは、該第1および第2のスリット96a、96bが、それぞれの第1および第2の領域60、62を、より小さな領域に完全に分割するほど、それぞれの第1および第2の領域60、62にわたって延伸しない。
【００４４】
別の実施例では、図6および図7に示すように、スリット96は、第1および第2の周囲70、80の一方の内部に定められ、スリット96は、透明層50によって取り囲まれる。例えば、図7において、第1のスリット96aは、第1の周囲70内に、第1のスリット96aが第1の領域60の透明層50で取り囲まれるように定められる。同様に、第2のスリット96bは、第2の周囲80内に、第2のスリット96bが第2の領域62の透明層50で取り囲まれるように定められる。ここで、第1および第2のスリット96a、96bは、外側領域56から離間され分離され、第1および第2のスリット96a、96bは、外側領域56で開かれていない。
【００４５】
さらに別の実施例では、図2乃至図3、図5乃至図6、および図8に示すように、第1のスリット96aは、第1の周囲70の側端面70cまたは対向する側端面70dの少なくとも一つに略平行に延伸する。同様に、第2のスリット96bは、第2の周囲80の側端面80cまたは対向する側端面80dの少なくとも一つに略平行に延伸する。あるいは、図4および図7に示すように、第1のスリット96aは、第1の周囲70の外側端部70aおよび内側端部70bの一つと略平行に延伸する。同様に、第2のスリット96bは、第2の周囲80の外側端部80aおよび内側端部80bの一つと略平行に延伸する。
【００４６】
第1および第2の領域60、62は、2以上のスリット96を有してもよい。図4乃至図6、および図8に示すように、第1および第2の領域60、82の各々は、スリット96の組を有する。図4の実施例では、第1の領域60は、第1のスリット96aおよび第3のスリット96cを定める。第2の領域62は、第2のスリット96bおよび第4のスリット96dを定める。第1および第3のスリット96a、96cの各々は、第1の周囲70の一つの位置から、第1の領域60に延在する。第2および第4のスリット96b、96dの各々は、第2の周囲80の一つの位置から、第2の領域62に延在する。第1および第3のスリット96a、96cは、第2および第4のスリット96b、96dに関して、軸40に対して対称に配置される。スリット96a、96b、96c、96dの各々は、軸40と略平行に配置される。この実施例では、第1のスリット96aは、第1の周囲70の側端部70cの一つから延伸する。第2のスリット96bは、第2の周囲80の側端部80cの一つから延伸する。第3のスリット96cは、第1の周囲70の対向する側端部70dから延伸する。第4のスリット96dは、第2の周囲80の対向する側端部80dから延伸する。従って、第1および第2のスリット96a、96bは、それぞれの第1および第2の周囲70、80の対応する側部70c、80cから、対称に延伸する。同様に、第3および第4のスリット96c、96dは、それぞれの第1および第2の周囲70、80の対応する側部70d、80dから、対称に延伸する。図11Aおよび図11Bには、それぞれ、図4に示した窓組立体20の実施例の優れた周波数−ゲイン、および放射パターン特性を示す。図11Aおよび図11Bに示した周波数−ゲインおよび放射パターン特性は、図4に示した窓組立体20で得られたものであるが、図4の窓組立体20には、必ずしもスケールは示されていない。従って、図11Aおよび図11Bに示した特定の周波数−ゲインおよび放射パターン特性は、図4に示した窓組立体20に実質的に対応するものの、図11Aおよび図11Bに示した特定の周波数−ゲインおよび放射パターン特性は、実際の試験結果とはある程度異なってもよい。
【００４７】
別の実施例では、図5に示すように、第1の領域60は、第1のスリット96aおよび第3のスリット96cを定め、第2の領域62は、第2のスリット96bおよび第4のスリット96dを定める。第1および第3のスリット96a、96cの各々は、第1の周囲70の一つの位置から、第1の領域60に延伸する。第2および第4のスリット96b、96dの各々は、第2の周囲80の一つの位置から、第2の領域62に延伸する。第1および第3のスリット96a、96cは、軸40に対して、第2および第4のスリット96b、96dと対称に配置される。各スリット96a、96b、96c、および96dは、軸40と略直交するように配向される。この実施例では、第1のスリット96aは、第1の周囲70の外側端部70aから延伸し、第1の周囲70の対向する側端部70dよりも、第1の周囲70の側端部70cの一つに接近して配置される。第2のスリット96bは、第2の周囲80の外側端部80aから延伸し、第2の周囲80の対向する側端部80dよりも、第2の周囲80の側端部80cの一つに接近して配置される。第3のスリット96cは、第1の周囲70の外側端部70aから延伸し、第1の周囲70の側端部70cよりも、第1の周囲70の対向する側端部70dの一つに接近して配置される。第4のスリット96dは、第2の周囲80の外側端部80aから延伸し、第2の周囲80の側端部80cよりも、第2の周囲80の対向する側端部80dの一つに接近して配置される。従って、第1および第2のスリット96a、96bは、それぞれの第1および第2の周囲70、80の対応する側端部70c、80cと接近して対称に配置される。同様に、第3および第4のスリット96c、96dは、それぞれの第1および第2の周囲70、80の対応する対向する側端部70d、80dと接近して対称に配置される。図12Aおよび図12Bには、それぞれ、図5に示した窓組立体20の実施例の優れた周波数−ゲイン、および放射パターン特性を示す。図12Aおよび図12Bに示した周波数−ゲインおよび放射パターン特性は、図5に示した窓組立体20で得られたものであるが、図5の窓組立体20には、必ずしもスケールは示されていない。従って、図12Aおよび図12Bに示した特定の周波数−ゲインおよび放射パターン特性は、図5に示した窓組立体20に実質的に対応するものの、図12Aおよび図12Bに示した特定の周波数−ゲインおよび放射パターン特性は、実際の試験結果とはある程度異なってもよい。
【００４８】
前述のように、第1，第2、第3，または第4のスリット96a、96b、96c、96dは、インピーダンス整合素子および放射パターン変更素子の少なくとも一つとして作動するように構成されてもよい。従って、一例では、第1および第2のスリット96a、96bは、インピーダンス整合素子として作動するように構成され、第3および第4のスリット96c、96dは、放射パターン変更素子として作動するように構成されてもよい。
【００４９】
一例を示して、本発明について説明した。使用用語は、限定的なものではなく、記載の用語の性質を意図するものであることが理解される。前述の示唆に鑑みて、多くの変更および修正が可能であることは、明らかである。本発明は、添付の特許請求の範囲から逸脱せずに、具体的に示されたもの以外の方法で実施されてもよい。
【図１】
0006490047.tif 000002
【図２】
0006490047.tif 000003
【図３】
0006490047.tif 000004
【図４】
0006490047.tif 000005
【図５】
0006490047.tif 000006
【図６】
0006490047.tif 000007
【図７】
0006490047.tif 000008
【図８】
0006490047.tif 000009
【図９】
0006490047.tif 000010
【図１０】
0006490047.tif 000011
【図１１Ａ】
0006490047.tif 000012
【図１１Ｂ】
0006490047.tif 000013
【図１２Ａ】
0006490047.tif 000014
【図１２Ｂ】
0006490047.tif 000015